(57)【要約】【課題】カバー体を固定盤から取り外すことなくノズルの内部を容易に洗浄することが可能なエアゾール容器用吐出具を提供する。【解決手段】ノズル３０と、固定盤１０と、カバー体２０と、を有するエアゾール容器用吐出具１であって、ノズル３０が、接続筒部３１と、吐出筒部３３と、上方に開口する凹部空間３２ａを備えたベース部３２と、ベース部３２から後方に延びる押下げ操作部３６と、カバー体２０にヒンジ３５を介して一体に連結された連結部３４と、を有し、吐出筒部３３に嵌合固定された装着筒部４１と、装着筒部４１にヒンジ４４を介して一体に連結されて凹部空間３２ａを開閉可能な蓋体４２と、を備えたヒンジキャップ４０がノズル３０に装着されていることを特徴とするエアゾール容器用吐出具１。【選択図】図１
2019209995.tif 000002
【特許請求の範囲】
【請求項１】
エアゾール容器のステムに取り付けられるノズルと、
前記エアゾール容器のマウンティングカップに固定される固定盤と、
前記固定盤に取り付けられて前記ノズルの少なくとも一部を覆うカバー体と、を有するエアゾール容器用吐出具であって、
前記ノズルが、
前記ステムに接続される接続筒部と、
内容物の吐出口を前端に備えた吐出筒部と、
上方に開口する凹部空間を備えて前記接続筒部と前記吐出筒部との間に設けられたベース部と、
前記ベース部から後方に延びて設けられた押下げ操作部と、
前記ステムよりも前方に設けられ、前記カバー体にヒンジを介して一体に連結された連結部と、を有し、
前記吐出筒部に嵌合固定された装着筒部と、
前記装着筒部にヒンジを介して一体に連結され、前記ヒンジを中心として回動することで前記凹部空間を開閉可能な蓋体と、を備えたヒンジキャップが前記ノズルに装着されていることを特徴とするエアゾール容器用吐出具。
【請求項２】
前記ヒンジキャップが前記ノズルよりも軟質の樹脂製である、請求項１に記載のエアゾール容器用吐出具。
【請求項３】
前記ヒンジキャップが前記ノズルとは異なる色に着色された樹脂製である、請求項１または２に記載のエアゾール容器用吐出具。
【請求項４】
前記蓋体の上面が彫刻により加飾されている、請求項１〜３の何れか１項に記載のエアゾール容器用吐出具。
【請求項５】
前記ヒンジキャップが前記蓋体から後方に延びて前記押下げ操作部に重なる操作片を一体に有する、請求項１〜４の何れか１項に記載のエアゾール容器用吐出具。
【請求項６】
前記エアゾール容器が２本の前記ステムを有する、請求項１〜５の何れか１項に記載のエアゾール容器用吐出具。
【発明の詳細な説明】
【技術分野】
【０００１】
本発明は、エアゾール容器に装着して使用されるエアゾール容器用吐出具に関する。
【背景技術】
【０００２】
従来、内容物とともに加圧ガスを収容しておき、ステムを押し下げることで内容物を当該ステムから外部に吐出させるようにしたエアゾール容器が知られている。このようなエアゾール容器としては、１つの容器内に一の内容物を収容するとともに１本のステムを有するシングルタイプのもの、シングルタイプの容器を左右に並べて１組とした二連タイプのものの他、１つの容器内に２種類の内容物を別個に収容するとともにそれぞれの内容物に対応した２本のステムを備えたタイプのものがあるが、何れのタイプのものも、内容物を吐出させる操作を容易にするために、吐出具を装着して使用されるのが一般的である。
【０００３】
エアゾール用スパウトとも呼ばれるエアゾール容器用吐出具としては、ステムに着脱自在に取り付けられるノズルと、エアゾール容器のマウンティングカップに固定される固定盤と、固定盤に着脱自在に取り付けられてノズルの少なくとも一部を覆うカバー体とを有し、カバー体に設けられた操作レバーを押下げ操作することにより、ノズルとともにステムを押し下げて内容物をノズルから外部に向けて吐出させることができるようにしたものが知られている。
【０００４】
また、上記のようなエアゾール容器用吐出具として、例えば内容物として染毛剤を収容するエアゾール容器に用いられる場合において、使用後にノズルの内部を容易に洗浄することができるようにするために、ノズルに蓋体を設け、当該蓋体によりノズルの内部に設けられた凹部空間を開閉可能な構成としたものも知られている（例えば特許文献１参照）。
【先行技術文献】
【特許文献】
【０００５】
【特許文献１】特開２０１５−００９８３７号公報
【発明の概要】
【発明が解決しようとする課題】
【０００６】
しかし、上記従来のエアゾール容器用吐出具では、ノズルの上方は固定盤に取り付けられたカバー体で覆われており、カバー体が固定盤に取り付けられた状態では蓋体を開くことができない構成であるので、使用後にノズルの内部を洗浄するためには、カバー体を固定盤から取り外してからノズルの蓋体を開く必要があり、その作業が煩雑であるという問題点があった。
【０００７】
本発明は、このような問題点を解決することを課題とするものであり、その目的は、カバー体を固定盤から取り外すことなくノズルの内部を容易に洗浄することが可能なエアゾール容器用吐出具を提供することにある。
【課題を解決するための手段】
【０００８】
本発明のエアゾール容器用吐出具は、エアゾール容器のステムに取り付けられるノズルと、前記エアゾール容器のマウンティングカップに固定される固定盤と、前記固定盤に取り付けられて前記ノズルの少なくとも一部を覆うカバー体と、を有するエアゾール容器用吐出具であって、前記ノズルが、前記ステムに接続される接続筒部と、内容物の吐出口を前端に備えた吐出筒部と、上方に開口する凹部空間を備えて前記接続筒部と前記吐出筒部との間に設けられたベース部と、前記ベース部から後方に延びて設けられた押下げ操作部と、前記ステムよりも前方に設けられ、前記カバー体にヒンジを介して一体に連結された連結部と、を有し、前記吐出筒部に嵌合固定された装着筒部と、前記装着筒部にヒンジを介して一体に連結され、前記ヒンジを中心として回動することで前記凹部空間を開閉可能な蓋体と、を備えたヒンジキャップが前記ノズルに装着されていることを特徴とする。
【０００９】
本発明のエアゾール容器用吐出具は、上記構成において、前記ヒンジキャップが前記ノズルよりも軟質の樹脂製であるのが好ましい。
【００１０】
本発明のエアゾール容器用吐出具は、上記構成において、前記ヒンジキャップが前記ノズルとは異なる色に着色された樹脂製であるのが好ましい。
【００１１】
本発明のエアゾール容器用吐出具は、上記構成において、前記蓋体の上面が彫刻により加飾されているのが好ましい。
【００１２】
本発明のエアゾール容器用吐出具は、上記構成において、前記ヒンジキャップが前記蓋体から後方に延びて前記押下げ操作部に重なる操作片を一体に有するのが好ましい。
【００１３】
本発明のエアゾール容器用吐出具は、上記構成において、前記エアゾール容器が２本の前記ステムを有するのが好ましい。
【発明の効果】
【００１４】
本発明によれば、カバー体を固定盤から取り外すことなくノズルの内部を容易に洗浄することが可能なエアゾール容器用吐出具を提供することができる。
【図面の簡単な説明】
【００１５】
【図１】本発明の一実施の形態であるエアゾール容器用吐出具をエアゾール容器に装着した状態で示す側面視での断面図である。
【図２】図１に示すエアゾール容器用吐出具のエアゾール容器に装着された状態における正面視での半断面図である。
【図３】図１に示すエアゾール容器用吐出具の、ヒンジキャップの蓋体を開いた状態における側面視での断面図である。
【図４】変形例のエアゾール容器用吐出具をエアゾール容器に装着した状態で示す側面視での断面図である。
【図５】図４に示す変形例のエアゾール容器用吐出具の、ヒンジキャップの蓋体を開いた状態における側面視での断面図である。
【発明を実施するための形態】
【００１６】
以下、図面を参照しつつ本発明をより具体的に例示説明する。
【００１７】
なお、本明細書、特許請求の範囲及び要約書においては、「前方」とは、ノズルの吐出口が向けられる側（図１における左側）を意味し、「後方」とは、「前方」の反対側を意味し、「側方」とは、前方側から見た場合（正面視）における左右両側を意味し、「上方」とは、エアゾール容器に対してノズルが位置する側（図１における上側）を意味し、「下方」とは、「上方」の反対側を意味するものとする。
【００１８】
図１において、符号１は、本発明の一実施の形態であるエアゾール容器用吐出具（以下、単に「吐出具」と称す場合もある）を示し、符号２は、吐出具１が取り付けられるエアゾール容器（以下、単に「容器」と称す場合もある）を示す。吐出具１は、固定盤１０、カバー体２０及びノズル３０を有している。
【００１９】
容器２は、例えば金属製や合成樹脂製となる有底筒状の容器本体２ａの口部に、金属製のマウンティングカップ２ｂを、その巻締め部２ｃにおいて巻き締めして固着したものであり、その内部には２種類の内容物が別個に収容されている。図２に示すように、容器２は、それぞれマウンティングカップ２ｂの平面視にてトラック形状となる上面から上方に向けて突出する２本のステム２ｄを備えている。これらの２本のステム２ｄは、それぞれ容器本体２ａの対応する内容物の収容空間に連通しており、容器本体２ａに向けて押し下げられると内容物を吐出する。
【００２０】
固定盤１０は樹脂製となっており、図１に示すように、中央部に２本のステム２ｄを露出させる開口１１を有する天壁１２を備えている。開口１１は、マウンティングカップ２ｂの上面に対応する形状（平面視でトラック形状）となっており、天壁１２の内縁に一体に設けられた内側環状壁１３がマウンティングカップ２ｂの上面を含むトラック形状の突起部分に嵌合されることで、固定盤１０はマウンティングカップ２ｂに回転方向に位置決めされた状態で取り付けられている。
【００２１】
天壁１２の外縁には、天壁１２から垂下する中間環状壁１４が一体に設けられている。中間環状壁１４は下方向に延在し、その下端は巻締め部２ｃの上面に当接している。中間環状壁１４の下端には径方向外側に向けて延在する上部フランジ１５が一体に設けられ、上部フランジ１５の下面には、巻締め部２ｃに全周に亘って接する内部環状壁１５ａが一体に設けられている。内部環状壁１５ａの内面には係止爪１５ｂが周方向に向けて間欠状に設けられており、係止爪１５ｂがマウンティングカップ２ｂの巻締め部２ｃの下端縁部分にアンダーカット係合することで、固定盤１０はマウンティングカップ２ｂに固定されている。なお、係止爪１５ｂは、巻締め部２ｃの全周に亘って延びる環状の形態としてもよい。
【００２２】
上部フランジ１５の外縁には、下方に向けて延在する外側環状壁１５ｃが一体に設けられており、外側環状壁１５ｃの下端からは径方向外側に向けて延在する下部フランジ１６が一体に設けられている。下部フランジ１６の外縁には、容器本体２ａの外周面と略同径の円筒状の外壁１６ａが一体に設けられている。
【００２３】
図２に示すように、固定盤１０の上部フランジ１５から下部フランジ１６に亘る部分には、上部フランジ１５の一部、外側環状壁１５ｃ及び下部フランジ１６の一部を切り欠く係止孔１７が設けられている。なお、係止孔１７は、固定盤１０の左側にも同様にして設けられている。
【００２４】
カバー体２０は樹脂製となっており、図１に示すように、固定盤１０に着脱自在に取り付けられ、ノズル３０の少なくとも一部（左右両側の一部）を覆っている。カバー体２０は、固定部２１と一対の側方カバー部２２とを有している。
【００２５】
固定部２１は固定盤１０に固定された部分であり、固定盤１０の外側を覆う環状の固定壁部２１ａを有している。図２においては一方のみを示すが、固定壁部２１ａの両側部には、それぞれ固定壁部２１ａの一部が上下方向に延びる一対のスリット（不図示）により区画されることで弾性板片２１ｂが設けられている。それぞれの弾性板片２１ｂは、固定壁部２１ａよりも下方に突出しており、当該下方に突出した下端側部分は、その外周面に爪部２１ｃを備えるとともに径方向に弾性変形によって変位可能となっている。
【００２６】
カバー体２０は、それぞれの弾性板片２１ｂの下端が対応する係止孔１７に挿通され、それぞれの爪部２１ｃが下部フランジ１６の下面にアンダーカット係合することにより、固定盤１０に固定されている。一方、弾性板片２１ｂをカバー体２０の内側に向けて押し込むことにより、爪部２１ｃと係止孔１７との係合を解除させてカバー体２０を固定盤１０から取り外すことができる。このように、本実施の形態では、カバー体２０は固定盤１０に着脱可能に取り付けられている。
【００２７】
固定壁部２１ａの上端には内向きのフランジ部２１ｄが一体に設けられており、フランジ部２１ｄのステム２ｄに対して前方側の部分は固定盤１０の天壁１２の上面に当接している。
【００２８】
図２に示すように、一対の側方カバー部２２は、それぞれ固定部２１の上方に左右両側に分けて一体に連ねて設けられている。より具体的には、一対の側方カバー部２２は、それぞれ固定壁部２１ａと略同径の円弧状の外周壁２２ａ、ノズル３０に対向するとともに互いに平行に配置された平らな内壁２２ｂ及びノズル３０の上方で水平方向に延在する頂壁２２ｃを有する中空の形態を有している。カバー体２０は、これら一対の側方カバー部２２により、ノズル３０の左右の両側方を覆っている。
【００２９】
図１においては一方のみを示すが、樹脂製となるノズル３０は一対の接続筒部３１を有しており、これらの接続筒部３１は対応するステム２ｄに緩く嵌合されて接続されている。接続筒部３１は対応するステム２ｄに緩く嵌め合わされているので、ノズル３０はステム２ｄに対して前後方向に傾動することができる。
【００３０】
接続筒部３１の上方にはベース部３２が一体に設けられている。ベース部３２は箱状となっており、その内部は上方に開口する凹部空間３２ａとなっている。ベース部３２の底壁には、それぞれの接続筒部３１に対応した一対の入口孔３２ｂが設けられ、この入口孔３２ｂを通してステム２ｄから吐出された内容物が凹部空間３２ａの内部に流入することができるようになっている。なお、凹部空間３２ａの幅方向の中央部には隔壁３２ｃが設けられ、それぞれのステム２ｄから流入した２種類の内容物は凹部空間３２ａにおいては混合され難くされている。
【００３１】
図１に示すように、ベース部３２の前方側には吐出筒部３３が一体に設けられている。吐出筒部３３は断面が横長のトラック形状となる筒状に形成されており、その内側空間は凹部空間３２ａに連通されている。吐出筒部３３の前端は吐出口３３ａとなっており、それぞれのステム２ｄから凹部空間３２ａに流入した２種類の内容物は、吐出筒部３３の内部で混合されつつ吐出口３３ａから外部に吐出される。
【００３２】
図１に示すように、ノズル３０にはステム２ｄよりも前方に位置して連結部３４が一体に設けられている。連結部３４は吐出筒部３３の下面から下方に延びる縦壁部３４ａと、縦壁部３４ａの下端から前方に向けて僅かに下方に傾斜しつつ延びる前壁部３４ｂとを備えており、前壁部３４ｂの前端においてヒンジ３５を介してカバー体２０のフランジ部２１ｄの内側縁に一体に連結されている。すなわち、ノズル３０はカバー体２０と一体となっている。
【００３３】
ヒンジ３５は前壁部３４ｂよりも薄肉に形成されて折り曲がるように容易に変形することができる。これにより、ノズル３０は、ベース部３２がステム２ｄとともに上下方向に変位するようにヒンジ３５を中心として回動することができる。また、ノズル３０の吐出筒部３３の下面に連結部３４が設けられることで、ヒンジ３５は、ステム２ｄよりも前方であって当該ステム２ｄと同等の高さに配置されているので、ノズル３０は、そのベース部３２がステム２ｄとともに上下方向に変位するように効率良く回動することができる。
【００３４】
カバー体２０とノズル３０は、例えば樹脂材料の射出成形により、カバー体２０とノズル３０とが一体に成形された一体成型品として構成することができる。これにより、カバー体２０とノズル３０とを容易に形成することができるようにし、また、吐出具１の部品点数を減少させて、吐出具１のコストを低減することができる。
【００３５】
図１に示すように、ノズル３０にはベース部３２からステム２ｄよりも後方にまで延びる押下げ操作部３６が一体に設けられている。押下げ操作部３６は、操作者が指を掛けて押下げ操作部３６を押下げ操作することができる程度の大きさないし長さの板状に形成された操作片３６ａと、操作片３６ａの左右の両縁部から上方に延びて一体に設けられた側方補強壁３６ｂと、操作片３６ａの後端に下方に延びて一体に設けられた下向き後端補強壁３６ｃとを有している。また、操作片３６ａの前端には、上方に向けて曲げられてベース部３２に対向する係止壁３６ｄが一体に設けられている。
【００３６】
押下げ操作部３６はステム２ｄよりも後方に延びており、また、ヒンジ３５はステム２ｄよりも前方に設けられているので、押下げ操作部３６の操作片３６ａを下方に向けて押下げ操作することにより、ノズル３０のベース部３２を下方に移動させて一対のステム２ｄを押し下げることができる。このとき、接続筒部３１は対応するステム２ｄに緩く嵌め合わされているので、ノズル３０をステム２ｄに対して前後方向に傾動させつつ容易に押し下げることができる。
【００３７】
一対のステム２ｄが容器２の内部に向けて押し下げられると、それぞれのステム２ｄから内容物が吐出される。それぞれのステム２ｄから吐出された２種類の内容物は、ノズル３０の凹部空間３２ａを介して吐出筒部３３に流入し、吐出筒部３３において互いに混合されつつ吐出口３３ａから外部に吐出される。
【００３８】
ノズル３０には、ベース部３２に設けられた凹部空間３２ａの上方開口を開閉するために、ヒンジキャップ４０が装着されている。ヒンジキャップ４０は樹脂製となっており、装着筒部４１と蓋体４２とを有している。
【００３９】
装着筒部４１は、ノズル３０の吐出筒部３３の外形形状に対応した内径形状を有する筒状に形成されており、吐出筒部３３の外側に差し込まれて縦壁部３４ａに当接した状態で吐出筒部３３の外周面に嵌合固定されている。なお、本実施の形態では、装着筒部４１は吐出筒部３３の外周面にアンダーカット係合することで吐出筒部３３に対して抜け止めされている。
【００４０】
装着筒部４１は上方に向けて延びる連結壁４３を一体に備えており、装着筒部４１の連結壁４３の上端にヒンジ４４を介して蓋体４２が一体に連結されている。ヒンジ４４は蓋体４２及び連結壁４３よりも薄肉に形成されて容易に折れ曲がることができ、蓋体４２は、ヒンジ４４を折れ曲がるように変形させて当該ヒンジ４４を中心として回動することで、凹部空間３２ａを開閉することができる。蓋体４２の下面には環状のシール筒４２ａが一体に設けられており、このシール筒４２ａがベース部３２の開口の内周縁に嵌合することで蓋体４２は凹部空間３２ａを閉塞している。また、蓋体４２は、押下げ操作部３６に設けられた係止壁３６ｄの前面に対向する被係止壁４２ｂを備え、被係止壁４２ｂが係止壁３６ｄにアンダーカット係合により係止されることで閉位置に保持されている。
【００４１】
蓋体４２は、係止壁３６ｄよりも後方に延びる摘み部４２ｃを一体に備えており、摘み部４２ｃを上方に引き上げることで、図３に示すように、被係止壁４２ｂの係止壁３６ｄに対するアンダーカット係合を解除させて蓋体４２を開くことができる。蓋体４２を開くことで、ベース部３２の凹部空間３２ａを外部に開放させることができ、凹部空間３２ａを外部に開放させることで、使用後に、ノズル３０の内部すなわち凹部空間３２ａ、吐出筒部３３の内部及び入口孔３２ｂを容易に洗浄することができる。
【００４２】
上記構成を有する本実施の形態の吐出具１では、ノズル３０をステム２ｄよりも前方に設けた連結部３４においてヒンジ３５を介してカバー体２０に一体に連結するとともに、ベース部３２に後方に向けて延びる押下げ操作部３６を設けるようにしたので、ノズル３０に設けられた押下げ操作部３６を押下げ操作することで、ヒンジ３５を中心としてノズル３０を回動させ、これによりベース部３２とともにステム２ｄを押し下げて内容物を吐出させることができる。したがって、カバー体２０として、ノズル３０の上方を開放した構成のものを採用することができるので、図３に示すように、カバー体２０を固定盤１０から取り外すことなく、ノズル３０に装着されたヒンジキャップ４０の蓋体４２を開くことができる。よって、内容物を吐出させた使用後に、カバー体２０を固定盤１０から取り外すことなく蓋体４２を開いてベース部３２の凹部空間３２ａを外部に開放し、ノズル３０の内部すなわち凹部空間３２ａ、吐出筒部３３の内部及び入口孔３２ｂを容易に洗浄することができる。
【００４３】
特に、２本のステム２ｄを有する容器２では、それぞれのステム２ｄから吐出される２種類の内容物として、混合されると硬化し易くなる性質のものが用いられる場合が多いが、本実施の形態の吐出具１では、このような２本のステム２ｄを有する容器２に用いられても、上記の通り、カバー体２０を固定盤１０から取り外すことなく蓋体４２を開いてノズル３０の内部を容易に洗浄することができるので、ノズル３０の内部が硬化した内容物で詰まることを未然に防止することができる。
【００４４】
また、カバー体２０と一体とされたノズル３０に対して、ヒンジキャップ４０をノズル３０とは別体に設けてノズル３０に装着する構成としたので、例えば樹脂材料の射出成形によりカバー体２０とノズル３０とが一体に成形された一体成型品を成形する際に、その成形を容易に行い得るようにすることができる。
【００４５】
さらに、ヒンジキャップ４０をノズル３０とは別体に設けてノズル３０に装着する構成としたので、ノズル３０とヒンジキャップ４０とを互いに相違する樹脂材料で形成することができる。この場合、ヒンジキャップ４０を、比較的硬質の樹脂製とされたノズル３０よりも軟質の樹脂製とすることで、ノズル３０と蓋体４２との密着性を高めることができる。これにより、蓋体４２ないしシール筒４２ａによる凹部空間３２ａのシール性を高めて、ノズル３０と蓋体４２との間からの内容物の漏れ出しを防止することができる。
【００４６】
さらに、ヒンジキャップ４０をノズル３０とは別体に設けてノズル３０に装着する構成としたので、ヒンジキャップ４０をノズル３０とは異なる色に着色された樹脂製とすることができる。すなわち、ヒンジキャップ４０の色をノズル３０の色と相違させることができる。これにより、使用者に、ノズル３０とは別体に設けられた蓋体４２がノズル３０に装着されていることを認識させて、ノズル３０の凹部空間３２ａを蓋体４２によって開閉してノズル３０の内部を洗浄可能な構成であることを、容易に認識ないし案内することができる。
【００４７】
さらに、詳細は図示しないが、ヒンジキャップ４０の蓋体４２の上面を彫刻により加飾した構成とすることもできる。当該加飾としては、蓋体４２が開閉可能であることやノズル３０が洗浄可能であることを示す文字ないし記号等とすることができる。加飾は、ヒンジキャップ４０を樹脂材料の射出成形によって形成する際に蓋体４２の上面に突起ないし凹みとして一体に成形されたものとすることができる。本実施の形態の吐出具１では、ヒンジキャップ４０をノズル３０とは別体に設けてノズル３０に装着する構成としたので、樹脂材料の射出成形の際に、簡易な金型によって蓋体４２の上面に容易に所望の加飾を彫刻により形成することができる。
【００４８】
本実施の形態の吐出具１では、カバー体２０として、ノズル３０の上方を開放した構成のものを採用することができることから、カバー体２０を固定盤１０から取り外すことなく、ヒンジ３５を中心としてノズル３０を図１において反時計周り方向に回動させるだけの簡単な操作で、ノズル３０をステム２ｄから容易に取り外すことができる。ノズル３０をステム２ｄから取り外してから蓋体４２を開いてノズル３０の内部を洗浄することにより、当該洗浄をさらに容易に行うことができる。なお、回動後のノズル３０はカバー体２０の前方側であってステム２ｄに対して斜め上方に位置するので、ノズル３０がヒンジ３５を介してカバー体２０に一体に連なる構成であっても、ノズル３０の内部を容易に洗浄することができる。洗浄後は、カバー体２０を固定盤１０から取り外すことなく、ヒンジ３５を中心としてノズル３０を図１において時計周り方向に回動させて接続筒部３１をステム２ｄに接続することで、内容物の吐出操作が可能な状態（図１に示す状態）に容易に戻すことができる。
【００４９】
図４は変形例のエアゾール容器用吐出具をエアゾール容器に装着した状態で示す側面視での断面図であり、図５は図４に示す変形例のエアゾール容器用吐出具の、ヒンジキャップの蓋体を開いた状態における側面視での断面図である。
【００５０】
図４に示すように、吐出具１は、ヒンジキャップ４０が蓋体４２から後方に延びて押下げ操作部３６に重なる操作片４５を一体に有する構成とすることもできる。この場合、操作片４５は、蓋体４２の後端縁に一体に連なるとともに前端側が上方に向けて湾曲した板状に形成されており、一対の側方補強壁３６ｂの間において押下げ操作部３６の係止壁３６ｄと操作片３６ａとに重ねて配置されている。また、操作片４５の後端は操作片３６ａの後端よりも方向に突出しており、当該突出部分は摘み部４５ａとなっている。
【００５１】
このような変形例の構成によれば、ヒンジキャップ４０に設けられた操作片４５は押下げ操作部３６の操作片３６ａの上方に重ねて配置されているので、操作片４５を下方に向けて押し下げることにより、操作片４５とともに押下げ操作部３６の操作片３６ａを下方に向けて押下げ操作して、ノズル３０すなわち一対のステム２ｄを押し下げることができる。このとき、操作片４５は押下げ操作の押圧力が加えられて操作片３６ａに押し付けられた状態となるので、操作片４５と一体に連なる蓋体４２は閉位置に保持される。したがって、内容物の吐出時に蓋体４２が不意に開いてノズル３０と蓋体４２との間から内容物が漏れ出すことを確実に防止することができる。
【００５２】
また、図５に示すように、変形例の吐出具１においても、カバー体２０を固定盤１０から取り外すことなく、操作片４５の後端に設けられた摘み部４５ａを上方に引き上げることで蓋体４２を開くことができる。よって、内容物を吐出させた使用後に、カバー体２０を固定盤１０から取り外すことなく蓋体４２を開いてベース部３２の凹部空間３２ａを外部に開放し、ノズル３０の内部すなわち凹部空間３２ａ、吐出筒部３３の内部及び入口孔３２ｂを容易に洗浄することができる。
【００５３】
本発明は前記実施の形態に限定されるものではなく、その要旨を逸脱しない範囲で種々変更可能であることはいうまでもない。
【００５４】
例えば前記実施の形態では、本願発明を、２本のステム２ｄを有する容器２に装着される吐出具１に適用した場合を示したが、例えばシングルタイプの容器や二連式タイプの容器に装着される吐出具に本願発明を適用してもよい。
【符号の説明】
【００５５】
１    エアゾール容器用吐出具
２    エアゾール容器
２ａ  容器本体
２ｂ  マウンティングカップ
２ｃ  巻締め部
２ｄ  ステム
１０    固定盤
１１    開口
１２    天壁
１３    内側環状壁
１４    中間環状壁
１５    上部フランジ
１５ａ  内部環状壁
１５ｂ  係止爪
１５ｃ  外側環状壁
１６    下部フランジ
１６ａ  外壁
１７    係止孔
２０    カバー体
２１    固定部
２１ａ  固定壁部
２１ｂ  弾性板片
２１ｃ  爪部
２１ｄ  フランジ部
２２    側方カバー部
２２ａ  外周壁
２２ｂ  内壁
２２ｃ  頂壁
３０    ノズル
３１    接続筒部
３２    ベース部
３２ａ  凹部空間
３２ｂ  入口孔
３２ｃ  隔壁
３３    吐出筒部
３３ａ  吐出口
３４    連結部
３４ａ  縦壁部
３４ｂ  前壁部
３５    ヒンジ
３６    押下げ操作部
３６ａ  操作片
３６ｂ  側方補強壁
３６ｃ  後端補強壁
３６ｄ  係止壁
４０    ヒンジキャップ
４１    装着筒部
４２    蓋体
４２ａ  シール筒
４２ｂ  被係止壁
４２ｃ  摘み部
４３    連結壁
４４    ヒンジ
４５    操作片
４５ａ  摘み部
【図１】
2019209995.tif 000003
【図２】
2019209995.tif 000004
【図３】
2019209995.tif 000005
【図４】
2019209995.tif 000006
【図５】
2019209995.tif 000007